(57)【要約】      （修正有）【課題】容易にかつ確実に音響周波数を可変する携帯端末装置を提供する。【解決手段】筐体７内部で受話部１の放音孔１２の裏面となる位置にスピーカ１ｂを配設し、放音孔１１，１２，１３からスピーカ１ｂからの音声が筐体７外部に出力される。一方、ボタン５は、移動部材８の一部であり、背面側から突出された部分である。この移動部材８は、放音孔１１，１３の対向する位置に平板板状の折れ部８ａを形成し、操作者がボタン５を押圧することにより、折れ部８ａが放音孔１１，１３を塞ぎ、スピーカ１ｂからの音声が出力しないようにする。【選択図】図３
2004242095.tif 000002
【特許請求の範囲】
【請求項１】
筐体内部に音声出力部、筐体表面に該音声出力部による音声を出力するための複数の放音孔を備えてなる携帯端末装置において、
前記放音孔の１または複数を塞ぐように移動する移動部材を備えたことを特徴とする携帯端末装置。
【請求項２】
前記放音孔を形成する筐体表面の反対面に、前記移動部材を突出させ、該突出した移動部材の押圧または移動により、前記１または複数の放音孔を塞ぐことを特徴とする請求項１記載の携帯端末装置。
【請求項３】
前記移動部材は、前記複数の放音孔を段階的に塞ぐことを特徴とする請求項１または２記載の携帯端末装置。
【発明の詳細な説明】
【０００１】
【発明の属する技術分野】
本発明は、ＰＨＳ、携帯電話機、あるいはＰＤＡ（小型携帯端末）等に代表される携帯端末装置、特に音声出力するスピーカ等の音声出力部を備えた携帯端末装置に関するものである。
【０００２】
【従来の技術】
周知のように、携帯端末装置の一つである携帯電話機には、ストレートタイプやフリップタイプ等があるが、いずれもスピーカ等を有する受話部（音声出力部）が設けられ、受話部側の筐体面を耳に接触させて通話しているが、周囲の騒音によって通話相手の音声が聞き取りづらい場合、しっかりと耳部に押し当てる動作を取りがちである。
【０００３】
これを解決するために、例えば、特許文献１に示すように、受話部側の筐体面との背面に係合部を設け、係合部が押圧された音圧センサや音量調節回路を起動し、受話部へ出力する信号の増幅率を調節するようにしたものがある。
【０００４】
【特許文献１】
特開２００２―３３５３１２号公報
【０００５】
【発明が解決しようとする課題】
ところが、特許文献１の携帯端末装置は、電気的に音声特性を可変するものであり、新たな信号処理が増えてしまうという問題があり、しかも音響周波数を電気的に可変することで通話相手の声に違和感が生じてしまう可能性もあった。また、特許文献１の携帯端末装置の制御は、スピーカ出力に余裕があれば実現可能であるが、昨今の機器小型化に際し、スピーカ自体の小型化・薄型化に伴って出力に余裕が取れない状況である。
【０００６】
【課題を解決するための手段】
本発明は、上記問題に鑑みてなされたものであり、筐体内部に音声出力部、筐体表面に該音声出力部による音声を出力するための複数の放音孔を備えてなる携帯端末装置において、前記放音孔の１または複数を塞ぐように移動する移動部材を備えた携帯端末装置としたものである。
このように、移動部材にて放音孔を塞ぐ構成により、ケース内の共鳴相関を可変させ極めて容易にかつ確実に音声周波数特性（＝音質）を可変することができる。
【０００７】
【発明の実施の形態】
以下、本発明の実施例について図面を用いて説明する。
図１は、本発明の携帯端末装置の１つであるストレートタイプの携帯電話機の正面図であり、従来の携帯電話記と同様に、受話部１、表示部２、テンキー部３、マイク４を筐体７の表面側に形成してなる。なお、本実施例では、受話部２の放音孔として上段と下段が３個、中段が５個の合計１１個を形成した場合であり、上段の放音孔を１１、中段の放音孔を１２、下段の放音孔を１３として説明する。
【０００８】
図２は、図１の携帯電話機の裏面側であり、ボタン５、電池収容カバー６を形成している。本発明は、ボタン５を形成したことを特徴とし、この使用者が押圧可能なボタン５の操作については、後述する。
【０００９】
図３は、図１の携帯電話機の右側面の一部断面図であり、筐体７内部で受話部１の放音孔１２の裏面となる位置にスピーカ１ｂを配設し、放音孔１１，１２，１３からスピーカ１ｂからの音声が筐体７外部に出力される。一方、ボタン５は、移動部材８の一部であり、背面側から突出された部分である。この移動部材８は、放音孔１１，１３の対向する位置に平板板状の折れ部８ａを形成し、操作者がボタン５を押圧することにより、折れ部８ａが放音孔１１，１３を塞ぎ、スピーカ１ｂからの音声が出力しないようになる。なお、８ｂは、折れ部８ａと筐体７とを接続するバネであり、背面側に付勢力を形成するようにすることで、ボタン５を押圧した際に、このバネ８ｂにより自動的に元の位置に戻るようにしている。
【００１０】
本発明は、移動部材８の移動のみに放音孔を塞ぎ音響周波数特性を可変可能とすることが特徴であり、周囲環境に合わせてボタン５を押圧することにより極めて容易にかつ確実に音響周波数特性を可変することができるようになる。
【００１１】
このように、一般的に密閉タイプは、周波数ピークを持ち、音圧を稼ぐことができ、パンチのある音作りが可能であり、開放タイプは、周波数特性がフラットで、あまり音圧は期待できないが、明瞭度のある聞きやすい音作りが可能である。そこで、例えば、部屋の中でゆっくりと相手と通話したい時は、リラックスできる音が必要なため、ボタン５を押圧せず、周囲騒音が気になる街中で相手の要件を確実に聞き取りたい時は、ボタン５を押圧すればよい。
【００１２】
なお、本実施例では、ストレートタイプの携帯電話機について説明したが、受話部１あるいは音声出力部を形成した携帯端末装置であれば、どのような装置であっても同様の効果を得ることができる。また、本実施例の受話部１は、３行の合計１１個の放音孔を形成し、上段および下段の放音孔１１，１３を塞ぐ場合について説明したが、放音孔の数、レイアウト、塞ぐ孔の選択は適宜音響周波数を考えながら決定すればよい。
【００１３】
また、本実施例では、受話部１の反対となる位置に移動部材８の突出部となるボタン５を形成した。このような構成により移動部材８が簡易な形状でかつ部品点数を必要最小限に抑えることができるが、レイアウトの制約等により他の位置、例えば、テンキー部３の背面側、側面側に配設するようにしてもよい。また、本実施例では、ボタン５を押圧する構成について説明したが、移動部材８の突出部を上下または左右に移動させることにより放音孔が塞がれるようにしてもよい。さらに、本実施例では、バネ８ｂを設け、押圧した後で自動的に元に戻る構成について説明したが、バネ以外の弾性部材を用いてもよく、移動部材８を移動させる場合には、自動的に元に戻る構成とせず、手動で戻すような構成としてもよい。
【００１４】
さらに、本実施例では、移動部材８により放音孔を塞ぐのを１通りしかない場合について説明したが、移動部材８の押圧または移動により段階的に放音孔を塞ぐようにすることで複数の音響周波数を得ることができるようになる。図４は、その一例を示す図であり、移動部材８の折れ部８ｃ，８ｄの高さを変え、折れ部８ｃに連結した部分に弾性部材８ｅを形成することにより、ボタン５の押圧により、まず折れ部８ｃにより放音孔１１のみが塞がり、さらに押圧することで折れ部８ｃ，８ｄにより放音孔１１，１３が塞がるようにすることができる。
【００１５】
図５も本発明の他の実施例を示す図であり、側面に移動部材９を突出させて使用者が上下方向に移動可能とし、スピーカ１ｂを放音孔１１の裏面に配設置し、使用者が移動部材９を上方向に移動することにより、まず放音孔１３を塞ぎ、さらに上方向に移動することにより放音孔１２、１３が塞がるようにすることができる。
【００１６】
図６も本発明の他の実施例を示す図であり、筐体７に通常厚み７ｂと薄い厚み７ａとを形成し、移動部材８に突起部８ｆを形成し、通常は図６（ａ）（ｂ）に示すように、突起部８ｆに対向する位置に薄い厚み７ａが位置するようにして図３と同様にボタン５を押圧することで放音孔１１，１３を塞ぎ、押圧解除すると塞ぐのを開放するようになるが、ボタン５を押圧した状態で移動部材８を右方向に回転させることにより、突起部８ｆが通常厚み７ｂに対向する位置となりボタン５が押圧されたままの状態を維持することができるようになる。このように、ボタン５を回転可能とする際には、図６（ａ）に示すように、折れ部８ｇが回転しても放音孔１１，１３を塞ぐような形状とする必要がある。なお、本実施例のロック機構以外でもボタン５のロックを維持するような構成を用いるようにしてもよい。
【００１７】
【発明の効果】
以上説明したように、本発明の携帯端末装置によれば、放音孔の１または複数を塞ぐように移動する移動部材を備えることにより、容易にかつ確実に音響周波数特性を可変する携帯端末装置を提供することができる。
【図面の簡単な説明】
【図１】本発明の携帯端末装置の正面図である。
【図２】図１の背面図である。
【図３】図１の右側面一部断面図である。
【図４】本発明の他の実施例を示す図である。
【図５】本発明の他の実施例を示す図である。
【図６】本発明の他の実施例を示す図である。
【符号の説明】
１：受話部
１ｂ：スピーカ
２：表示部
３：テンキー部
４：マイク部
５：ボタン
６：電池収容カバー
７：筐体
８，９：移動部材
８ａ，８ｃ，８ｄ：折れ部
８ｂ：バネ
８ｅ：弾性部材
１１，１２，１３：放音孔
【図１】
2004242095.tif 000003
【図２】
2004242095.tif 000004
【図３】
2004242095.tif 000005
【図４】
2004242095.tif 000006
【図５】
2004242095.tif 000007
【図６】
2004242095.tif 000008